(57)【要約】【課題】本発明は各種音響機器に使用されるスピーカに関するものであり、金糸線の使用に伴う振動板やボイスコイルの偏りに伴う課題を解決し、信頼性・音響特性に優れたスピーカの提供を可能とするものである。【解決手段】本発明のスピーカは、ボイスコイル８ａのコイル部８ｃの両端を前記ボイスコイル８ａに設けられた導電体１４に接続するとともに、この導電体１４上を摺接する摺接部９ｂを外部入力端子９ａに設けたものであり、従来の金糸線を廃止して金糸線の断線に伴う課題を解決するとともに、ボイスコイル８ａや振動板１の重量偏りを抑制し、音響特性の向上を図るものである。【選択図】図１
2006211194.tif 000002
【特許請求の範囲】
【請求項１】
磁気ギャップを有する磁気回路と、磁気回路に固着されたフレームと、外周がこのフレームに結合され、内周が前記磁気ギャップに嵌め合わされるボイスコイルに結合された振動板と、前記ボイスコイルのコイル部の両端と夫々電気的に接続される前記フレームに装着された外部入力端子とで構成されるスピーカにあって、前記コイル部の両端に前記ボイスコイルに設けられた導電体を接続するとともに、この導電体上を摺接する摺接部を前記外部入力端子に設けたスピーカ。
【請求項２】
外部入力端子に設けた摺接部の先端が毛束状の導電部である請求項１に記載のスピーカ。
【請求項３】
外部入力端子に設けた摺接部の先端がロール状の導電部である請求項１に記載のスピーカ。
【発明の詳細な説明】
【技術分野】
【０００１】
本発明は各種音響機器に使用されるスピーカに関するものである。
【背景技術】
【０００２】
従来のスピーカを図５の側断面図により説明する。同図によると、ヨーク１、マグネット２、プレート３からなる磁気回路４にフレーム５が結合され、フレーム５の周縁部に振動板６の外周部が結合され、この振動板６の内周部にはボイスコイルボビン８が結合され、このボイスコイルボビン８の中間部をダンパー１０により保持し、前記磁気回路４の磁気ギャップ４ａに偏心することなくこのボイスコイルボビン８は嵌め込まれている。更に、前記振動板６の中央部上面にはダストキャップ１１を貼り付け、さらにコイル線７の巻き始めと巻き終わりは２本の金糸線１２の一端に接着またはハンダ付などによりそれぞれ電気的に接続されており、他端は前記フレーム５の外部入力用端子９に半田付などにより固着し電気的に接続している。
【０００３】
なお、この出願の発明に関連する先行技術文献情報としては、例えば、特許文献１が知られている。
【特許文献１】実開昭５７−６２４９９号公報
【発明の開示】
【発明が解決しようとする課題】
【０００４】
しかしながら、前記従来のスピーカでは、金糸線１２自体が太く重く、またボイスコイルボビン８の外周部で前記金糸線１２に接続する接着剤やハンダの重量が付加されるため、前記ボイスコイルボビン８や振動板６に周方向における重量偏りが発生して振幅運動がスムーズに行なわれず、満足な音質が得られなかったり、偏りのひどい場合には音質不良となる問題点を有していた。
【０００５】
本発明は従来の課題を解決するもので、金糸線１２に起因するボイスコイルボビン８や振動板６の重量偏りを最小限に抑えたスピーカを提供することを目的とするものである。
【課題を解決するための手段】
【０００６】
前記課題を解決するために、本発明は以下の構成を有する。
【０００７】
本発明のスピーカの請求項１に記載の発明は、ボイスコイルボビンの表面に導電体を配置し、ボイスコイルボビンに巻線されたコイル線の巻き始めと巻き終わりの各端部をそれぞれ前記導電体に電気的に接続し、外部入力用端子のボイスコイルボビン接続側の先端を前記導電体の方向へ延長させ、前記外部入力用端子のボイスコイルボビン接続側の先端に前記導電体上を摺接する摺接部を設け、前記導電体と前記摺接部を接触させて導通させるものである。
【０００８】
本発明のスピーカの請求項２に記載の発明は、請求項１に記載の発明に更に外部入力端子の摺接部の先端を毛束状の摺接部としたものであり、これにより、外部入力端子のボイスコイルボビン接続側の先端に設けた毛束状の摺接部によって、ボイスコイルの上下運動によっても摺接の信頼性が向上し、導通不良が発生せず、またボイスコイルや振動板のスムーズな振幅運動が行えるものである。
【０００９】
本発明のスピーカの請求項３に記載の発明は、請求項１に記載の発明に更に外部入力端子の摺接部の先端をロール状の摺接部としたものであり、これにより、摺接がより滑らかに行え、接触の信頼性が向上するものである。
【発明の効果】
【００１０】
以上のように本発明のスピーカは、金糸線を使用することなくボイスコイルと外部入力用端子を導通させることができ、金糸線自体に起因するボイスコイルボビンや振動板の重量偏りを抑えることができ、スムーズな振幅運動をさせることができ、金糸線断線による導通不良を防止し、信頼性を確保できるとともに、優れた音質を実現できるものである。
【発明を実施するための最良の形態】
【００１１】
以下、本発明のスピーカの一実施の形態を図１〜図４により説明する。なお、説明にあたっては従来技術と同一部分は同一番号を付与し、説明を省略して説明する。
【００１２】
（実施の形態１）
本発明の一実施の形態のスピーカを図１〜図４により説明する。図１はスピーカの側断面図であり、図２は同要部であるボイスコイルの斜視図であり、図３は同要部であるボイスコイルと外部入力端子の摺接部との接続状態を説明する上面図であり、図４（ａ）は、同展開例における同要部であるボイスコイルと外部入力端子の摺接部との接続状態を説明する上面図であり、図４（ｂ）は、同他の展開例における同要部であるボイスコイルと外部入力端子の摺接部との接続状態を説明する上面図である。
【００１３】
同図により従来技術との相違点のみ説明すると、８ａはボイスコイルであり、８ｂはボイスコイルボビンであり、８ｃはこのボイスコイルボビンに巻回して構成したコイル部であり、１４はボイスコイルボビン８ｂに装着された導電箔や裸導線からなる一対の導電体であり、前記コイル部８ｃのコイルの両端末が夫々接続されている。
【００１４】
９ａは一対の外部入力端子であり、９ｂはこの外部入力端子９ａに固着された金属弾性薄板からなる摺接部であり、その端部は一対の前記導電体１４上を夫々摺接するようにボイスコイル８ａの上下動に影響のない程度の適当な圧力で、ボイスコイル８ａを弾圧するように構成されている。
【００１５】
なお、本実施形態においては図３に示すごとく、前記摺接部９ｂの先端に毛束状の導体１６（微小径の導線やスリッタで先端を短冊状にした導箔）を一体または別体のものを装着して設けることにより、摺接部９ｂが導電体１４上を摺動する時に接触が不安定になることを防止し、接触の信頼性の向上を図っている。
【００１６】
また、図４（ａ）は前記摺接部の展開例であるが、摺接部９ｃは先端にローラ等のロール部を設けたものであり、導電体１４上を摺動する時の摺動抵抗の軽減を図り、ボイスコイル８ａの円滑な上下駆動の障害とならないようにしたものである。
【００１７】
なお、一対設けた摺接部９ｂおよび９ｃは相対向する摺接点を結ぶ直線がボイスコイル８ａの略中心を通るように設定され、これにより、ボイスコイル８ａは偏ることなく上下することとなる。
【００１８】
なお、前記実施形態および展開例の摺接部は銅、銅合金またはこれらより比重の小さいアルミニウムやアルミニウム合金などの導電材料の使用が望ましい。
【００１９】
図４（ｂ）は摺接部を一体に形成した外部入力端子９ｄの上面図であり、外部入力端子に摺接部を一体形成したことで金糸線削除による部品点数の削減を維持したままで金糸線に伴う課題解決を実現できるものである。
【００２０】
なお、前述の実施形態により説明したように、金糸線の廃止に伴い、金糸線接続による振動板やボイスコイルの重量偏りとそれに伴う音質の劣化の防止や金糸線の断線という課題を解決するとともに、金糸線廃止に伴い、ボイスコイルの見掛けの重量を３０％〜６０％減量する事が可能となり、優れた音響特性の実現を可能とした。
【図面の簡単な説明】
【００２１】
【図１】本発明の一実施の形態のスピーカの側断面図
【図２】同要部であるボイスコイルの斜視図
【図３】同要部であるボイスコイルと外部入力端子の摺接部との接続状態を説明する上面図
【図４】（ａ）同展開例における同要部であるボイスコイルと外部入力端子の摺接部との接続状態を説明する上面図、（ｂ）同他の展開例における同要部であるボイスコイルと外部入力端子の摺接部との接続状態を説明する上面図
【図５】従来のスピーカの側断面図
【符号の説明】
【００２２】
４  磁気回路
４ａ  磁気ギャップ
５  フレーム
８ａ  ボイスコイル
８ｃ  コイル部
９ａ  外部入力端子
９ｂ，９ｃ  摺接部
１４  導電体
【図１】
2006211194.tif 000003
【図２】
2006211194.tif 000004
【図３】
2006211194.tif 000005
【図４】
2006211194.tif 000006
【図５】
2006211194.tif 000007